(57)【特許請求の範囲】
【請求項１】
複数のドッキーデバイスと無線通信するためのホストデバイスであって、
前記ホストデバイスは、オーディオ又はビデオ（ＡＶ）データをレンダリングする少なくとも１つの周辺機器と結合され、
−  前記無線通信を可能にするホスト通信ユニットと、
−  少なくとも１つのドッキーデバイスに前記少なくとも１つの周辺機器へのアクセスを与えるよう前記ドッキーデバイスをドッキングさせるためのドッキングプロセッサとを含み、
前記ドッキーデバイスは、
−  前記無線通信を可能にするドッキー通信ユニットと、
−  前記少なくとも１つの周辺機器へのアクセスを得るよう前記ホストデバイスにドッキーデバイスとしてドッキングするためのドッキープロセッサとを含み、
前記ドッキングプロセッサは、
−  少なくとも１つの一次ドッキーデバイス及び少なくとも１つの二次ドッキーデバイスをドッキングさせ、
−  レンダリングされる前記ＡＶデータを決定するための前記少なくとも１つの周辺機器の制御権を前記一次ドッキーデバイスに与え、
−  レンダリングされる前記ＡＶデータの少なくとも一部を前記二次ドッキーデバイスに転送し、
前記ドッキングプロセッサは、前記一次ドッキーデバイスの指示を受けて、
−  前記二次ドッキーデバイスのドッキングをトリガする信号を送信する、
−  前記二次ドッキーデバイスの妨害レベルを制御する、及び
−  前記二次ドッキーデバイス上のアプリケーションを起動する
のうちの少なくとも１つによって前記二次ドッキーデバイスを制御し、
前記二次ドッキーデバイスの前記ドッキープロセッサは、
−  二次ドッキーとしてのドッキングをトリガする前記信号を受信し、前記信号の受信時に、前記ホストデバイスにドッキングするための１つ以上のアクションを開始する、
−  ドッキング時に、前記二次ドッキーデバイスの前記妨害レベルを制御可能にする、及び
−  ドッキング時に、前記二次ドッキーデバイス上のアプリケーションを起動可能にする
のうちの少なくとも１つによって、前記ドッキングプロセッサを介して前記一次ドッキーデバイスによって制御される、ホストデバイス。
【請求項２】
前記ドッキングプロセッサは、
レンダリングされる前記ＡＶデータの前記決定のために、前記少なくとも１つの周辺機器への書き込みアクセスを前記一次ドッキーデバイスに与え、
レンダリングされる前記ＡＶデータの少なくとも一部を転送するために、前記少なくとも１つの周辺機器への読み取りアクセスを前記二次ドッキーデバイスに与える、請求項１に記載のデバイス。
【請求項３】
前記ドッキングプロセッサは、前記ホストデバイスとの前記無線通信を確立するドッキーデバイスを、
−  事前の識別データ又はユーザー・ペアリング・アクションを伴わない一次又は二次ドッキーデバイス、
−  事前の識別データ又はユーザー・ペアリング・アクションに基づく一次又は二次ドッキーデバイス、
−  前記ホストデバイス内の一次認証コードに対応する識別コードを伝送する一次ドッキーデバイス、
−  一次ドッキーデバイスからの許可を受けた二次ドッキーデバイス、
−  一次ドッキーデバイスからの単一の許可を受けた複数の二次ドッキーデバイス、及び
−  識別トークンによる識別に基づく一次又は二次ドッキーデバイス
のうちの少なくとも１つとしてドッキングさせる、請求項１に記載のデバイス。
【請求項４】
前記ドッキングプロセッサは、多数のドッキーデバイスを参加者に結びづけられたドッキーデバイスとしてドッキングさせることに基づき参加者の会議を管理し、前記多数のドッキーは少なくとも１つの一次ドッキーデバイスを含む、請求項１に記載のデバイス。
【請求項５】
前記ドッキングプロセッサは、
−  ドッキーデバイスの数に基づき前記会議の参加者の数をカウントする、
−  前記ドッキーデバイスから受信されたデータに基づき前記会議の参加者を登録する、
−  前記一次ドッキーデバイスに対応する少なくとも１人のプレゼンターを登録する、
−  前記会議の参加者に会議データを配信する、及び
−  前記少なくとも１つの一次ドッキーデバイスの制御下で会議データを配信する
のうちの少なくとも１つを行う、請求項４に記載のデバイス。
【請求項６】
前記ドッキングプロセッサは、複数の一次ドッキーデバイスをドッキングさせ、
−  レンダリングされる前記ＡＶデータを決定するための前記少なくとも１つの周辺機器の共有制御権を前記複数の一次ドッキーデバイスに与える、及び
−  分割画面、オーバーレイ、少なくとも１つのウィンドウ、ビデオスケーリング、オーディオミキシングのうちの少なくとも１つを提供することによって前記複数の一次ドッキーデバイスの共有ＡＶ出力を管理する
のうちの少なくとも１つを行う、請求項１に記載のデバイス。
【請求項７】
前記ドッキングプロセッサは、一次及び／又は二次ドッキーデバイスの指示を受けて、
−  二次デバイスを一次ドッキーデバイスに又は一次ドッキーデバイスを二次デバイスに変更する、
−  ２つのドッキーデバイス間の直接通信を可能にする、
−  複数のドッキーデバイスをグループ化し、前記グループのドッキーデバイス間の直接通信を可能にする、
−  全ドッキーデバイス間でコンテンツ又はメッセージを共有する、
−  ローカル・ネットワーク・ブロードキャストを使用する、及び
−  共有コンテンツを複数のドッキーデバイスに転送するためにコンテンツスケーリングを行う
のうちの少なくとも１つを行う、請求項１に記載のデバイス。
【請求項８】
一次ドッキーデバイスの指示を受けて、前記ドッキングプロセッサは前記ドッキーデバイスのうちの少なくとも一つ、グループ、又は全てをアンドックさせる、請求項１に記載のデバイス。
【請求項９】
前記少なくとも１つの周辺機器は、
−  プロジェクタ、スマートボード、ディスプレイスクリーン、スピーカーシステム、
−  マウス、キーボード、ルームコントロールユニット、及び
−  データストレージユニット
のうちの少なくとも１つを含む、請求項１に記載のデバイス。
【請求項１０】
ホストデバイスに無線通信するためのドッキーデバイスであって、
前記ホストデバイスは、オーディオ又はビデオ（ＡＶ）データをレンダリングする少なくとも１つの周辺機器に結合され、
−  前記無線通信を可能にするホスト通信ユニットと、
−  少なくとも１つのドッキーデバイスに前記少なくとも１つの周辺機器へのアクセスを与えるよう前記ドッキーデバイスをドッキングさせるためのドッキングプロセッサとを含み、
前記ドッキーデバイスは、
−  前記無線通信を可能にするドッキー通信ユニットと、
−  前記少なくとも１つの周辺機器へのアクセスを得るよう前記ホストデバイスにドッキーデバイスとしてドッキングするためのドッキープロセッサとを含み、
前記ドッキープロセッサは、
−  一次ドッキーデバイス又は二次ドッキーデバイスとしてドッキングを行い、
−  前記一次ドッキーデバイスとして、レンダリングされる前記ＡＶデータを決定するための前記少なくとも１つの周辺機器の制御を実行し、
−  前記二次ドッキーデバイスとして、レンダリングされる前記ＡＶデータの少なくとも一部を受信してレンダリングし、
前記一次ドッキーデバイスの前記ドッキングプロセッサは、
−  前記二次ドッキーデバイスのドッキングをトリガする信号を送信する、
−  前記二次ドッキーデバイスの妨害レベルを制御する、及び
−  前記二次ドッキーデバイス上のアプリケーションを起動する
のうちの少なくとも１つの前記ドッキングプロセッサへの指示によって前記二次ドッキーデバイスを制御し、
前記二次ドッキーデバイスの前記ドッキープロセッサは、
−  二次ドッキーとしてのドッキングをトリガする前記信号を受信し、前記信号の受信時に、前記ホストデバイスにドッキングするための１つ以上のアクションを開始する、
−  ドッキング時に、前記二次ドッキーデバイスの前記妨害レベルを制御可能にする、及び
−  ドッキング時に、前記二次ドッキーデバイス上のアプリケーションを起動可能にする
のうちの少なくとも１つによって、前記ドッキングプロセッサを介して前記一次ドッキーデバイスによって制御される、ドッキーデバイス。
【請求項１１】
ホストデバイスと複数のドッキーデバイスとの間の無線通信の方法であって、
前記ホストデバイスは、オーディオ又はビデオ（ＡＶ）データをレンダリングする少なくとも１つの周辺機器に結合され、
前記ホストデバイスは、前記無線通信を可能にするホスト通信ユニットを含み、
前記ドッキーデバイスは、前記無線通信を可能にするドッキー通信ユニットを含み、
前記方法は、前記ホストデバイスにおいて、
−  少なくとも１つのドッキーデバイスに前記少なくとも１つの周辺機器へのアクセスを与えるよう前記ドッキーデバイスをドッキングするステップであって、前記ドッキングは、少なくとも１つの一次ドッキーデバイス及び少なくとも１つの二次ドッキーデバイスのドッキングを含む、ステップと、
−  レンダリングされる前記ＡＶデータを決定するための前記少なくとも１つの周辺機器の制御権を前記一次ドッキーデバイスに与えるステップと、
−  レンダリングされる前記ＡＶデータの少なくとも一部を前記二次ドッキーデバイスに転送するステップとを含み、
前記ドッキングは、前記一次ドッキーデバイスの指示を受けて、
−  前記二次ドッキーデバイスのドッキングをトリガする信号を送信する、
−  前記二次ドッキーデバイスの妨害レベルを制御する、及び
−  前記二次ドッキーデバイス上のアプリケーションを起動する
のうちの少なくとも１つによって前記二次ドッキーデバイスを制御することを含む、方法。
【請求項１２】
ホストデバイスと複数のドッキーデバイスとの間の無線通信の方法であって、
前記ホストデバイスは、オーディオ又はビデオ（ＡＶ）データをレンダリングする少なくとも１つの周辺機器と結合され、
前記ホストデバイスは、前記無線通信を可能にするホスト通信ユニットを含み、
前記ドッキーデバイスは、前記無線通信を可能にするドッキー通信ユニットを含み、
前記方法は、前記ドッキーデバイスにおいて、
−  一次ドッキーデバイスとして、レンダリングされる前記ＡＶデータを決定するための前記少なくとも１つの周辺機器の制御を実行するステップと、
−  二次ドッキーデバイスとして、レンダリングされる前記ＡＶデータの少なくとも一部を受信してレンダリングするステップとを含み、
前記方法は、前記一次ドッキーデバイスにおいて、
−  前記二次ドッキーデバイスのドッキングをトリガする信号を送信する、
−  前記二次ドッキーデバイスの妨害レベルを制御する、及び
−  前記二次ドッキーデバイス上のアプリケーションを起動する
のうちの少なくとも１つをドッキングプロセッサに指示することによって前記二次ドッキーデバイスを制御するステップを含み、
前記方法は、前記二次ドッキーデバイスにおいて、
−  二次ドッキーとしてのドッキングをトリガする前記信号を受信し、前記信号の受信時に、前記ホストデバイスにドッキングするための１つ以上のアクションを開始する、
−  ドッキング時に、前記二次ドッキーデバイスの前記妨害レベルを制御可能にする、及び
−  ドッキング時に、前記二次ドッキーデバイス上のアプリケーションを起動可能にする
のうちの少なくとも１つによって、前記ドッキングプロセッサを介して前記一次ドッキーデバイスによって制御されるステップを含む、方法。
【請求項１３】
ホストデバイスとドッキーデバイスとの間の無線通信のためのコンピュータプログラムであって、請求項１１又は１２に記載の方法をプロセッサに実行させるプログラムを含む、コンピュータプログラム。
【発明の詳細な説明】
【技術分野】
【０００１】
本発明は、複数のドッキーデバイスと無線通信するホストデバイスに関し、ホストデバイスは、オーディオ又はビデオデータをレンダリングする少なくとも１つの周辺機器に結合するよう構成され、また、前記無線通信を可能にするホスト通信ユニットと、少なくとも１つのドッキーデバイスに少なくとも１つの周辺機器へのアクセスを与えるためにドッキーデバイスをドッキングさせるよう構成されたドッキングプロセッサとを含み、ドッキーデバイスは、前記無線通信を可能にするドッキー通信ユニットと、少なくとも１つの周辺機器へのアクセスを得るためにドッキーデバイスとしてホストデバイスとドッキングするよう構成されたドッキープロセッサとを含む。
【０００２】
本発明は、更に、ホストデバイスと無線通信するドッキーデバイス、ホストデバイスと複数のドッキーデバイスとの間の無線通信のための方法及びコンピュータプログラム製品に関する。
【０００３】
本発明は、Ｗｉ−Ｆｉ等による無線通信の分野に関し、より具体的には、複数のドッキーを有する無線ドッキングシステムの構成に関する。
【背景技術】
【０００４】
ポータブル電子デバイス用の有線ドッキングステーションは、通常、単一の物理的ドッキングコネクタしか有さず、一度に一つのデバイスをドッキングさせる。ドッキングステーションは電力、及びデバイス単独によっては提供されない周辺機能、例えば（より）大きな画面、（より）高品質のスピーカー、マウス、及びキーボード等をポータブルデバイスに提供し得る。 
【０００５】
無線ドッキングは例えばＷＯ２０１２／１１７３０６Ａ１から知られている。無線ドッキングステーションは、少なくとも１つのスレーブデバイスとマスタデバイスとの間の無線セキュア通信を可能にする。
【０００６】
ホストデバイスとドッキーデバイスとを有するシステムにおける無線ドッキングは、（ＩＥＥＥ８０２．１１に記載されるような）Ｗｉ−Ｆｉベースの無線ドッキングステーションの使用に基づき得る。無線ドッキングステーションは、モバイルデバイス（ドッキーと呼ばれる）が無線リンク（例えばＷｉ−Ｆｉ）上のメッセージ交換プロトコルのセットを使用し、有線又は無線接続を介してホストデバイスにローカルに取り付けられた周辺機器のセット（ＵＳＢマウス、ＨＤＭＩ（登録商標）ディスプレイ、Ｂｌｕｅｔｏｏｔｈ（登録商標）ヘッドセット等）にアクセスすることを可能にする無線ドッキングホスト（ＷＤＨ）であり得る。無線ドッキングホストは、ＷＤＨを選択し、選択されたＷＤＨとの接続を開始するためにドッキーによって使用され得るＷｉ−Ｆｉビーコンを介して自らのプレゼンスに関する情報を供給し得る。あるいは、ＷＤＨに関連付けられた近距離無線通信（ＮＦＣ）タグ又は他のアウトオブバンド手段（無線給電システムからの通信インターフェイスの使用等）を使用してＷＤＨが選択され、ドッキングが開始される。
【０００７】
ＵＳ２０１２／０２５４７７３は、インタラクティブメディア共有のためのシステム及び方法を開示する。インタラクティブメディア共有は、互いに及びメディアサーバに接続された複数のタッチスクリーン・ユーザーデバイス（ＴＳＵＤ）間で行われるセッションへの参加を援助することを含む。方法は、初期メディアコンテンツを複数のＴＳＵＤのうちの１つ以上にリアルタイムで送信するステップ、又は、初期メディアコンテンツの上にオーバーレイされた更なるメディアコンテンツを含む編集されたメディアコンテンツを複数のＴＳＵＤのうちの少なくとも１つからリアルタイムで受信するステップを含み得る。
【発明の概要】
【発明が解決しようとする課題】
【０００８】
無線ドッキングシステムの通信の無線性質は、原則的に複数のドッキングデバイスを同時に接続することを可能にする。しかし、複数のドッキーが同じ周辺機器にアクセスしようとする場合、干渉が生じる可能性がある。
【０００９】
本発明の一課題は、簡便な態様で複数のドッキーがホストデバイスに無線ドッキングすることを可能にし、干渉を生じることなくＡ／Ｖ周辺機器の共用を可能にする無線ドッキングのためのシステムを提供することである。
【課題を解決するための手段】
【００１０】
この目的のために、本発明の第１の側面によれば、取り付けられた周辺機器のセットへのアクセスを提供する第１段落に記載されるホストデバイスにおいて、
ドッキングプロセッサは、
−  少なくとも１つの一次ドッキーデバイス及び少なくとも１つの二次ドッキーデバイスをドッキングさせ、
−  レンダリングされるＡＶデータを決定するための少なくとも１つの周辺機器の制御権を一次ドッキーデバイスに与え、
−  レンダリングされるＡＶデータの少なくとも一部を二次ドッキーデバイスに転送するよう構成され、
ドッキングプロセッサは、一次ドッキーデバイスの指示を受けて、
−  二次ドッキーデバイスのドッキングをトリガする信号を送信する、
−  二次ドッキーデバイスの妨害レベルを制御する、及び
−  二次ドッキーデバイス上のアプリケーションを起動する
のうちの少なくとも１つによって二次ドッキーデバイスを制御するよう構成され、
二次ドッキーデバイスのドッキープロセッサは、それぞれ、
−  二次ドッキーとしてのドッキングをトリガする信号を受信し、信号の受信時に、ホストデバイスにドッキングするための１つ以上のアクションを開始する、
−  ドッキング時に、二次ドッキーデバイスの妨害レベルを制御可能にする、及び
−  ドッキング時に、二次ドッキーデバイス上のアプリケーションを起動可能にする
のうちの少なくとも１つによって、一次ドッキーデバイスによって制御されるよう構成される。
【００１１】
この目的のために、本発明の第２の側面によれば、第１段落に記載されるドッキーデバイスは、前記無線通信を可能にするドッキー通信ユニットと、少なくとも１つの周辺機器へのアクセスを得るためにホストデバイスにドッキーデバイスとしてドッキングするよう構成されたドッキープロセッサとを含み、
ドッキープロセッサは、
−  一次ドッキーデバイス又は二次ドッキーデバイスとしてドッキングを行い、
−  一次ドッキーデバイスとして、レンダリングされるＡＶデータを決定するための少なくとも１つの周辺機器の制御を実行し、
−  二次ドッキーデバイスとして、レンダリングされるＡＶデータの少なくとも一部を受信してレンダリングするよう構成され、
一次ドッキーデバイスのドッキングプロセッサは、
−  二次ドッキーデバイスのドッキングをトリガする信号を送信する、
−  二次ドッキーデバイスの妨害レベルを制御する、及び
−  二次ドッキーデバイス上のアプリケーションを起動する
のうちの少なくとも１つのドッキングプロセッサへの指示によって二次ドッキーデバイスを制御するよう構成され、
二次ドッキーデバイスのドッキープロセッサは、それぞれ、
−  二次ドッキーとしてのドッキングをトリガする信号を受信し、信号の受信時に、ホストデバイスにドッキングするための１つ以上のアクションを開始する、
−  ドッキング時に、二次ドッキーデバイスの妨害レベルを制御可能にする、及び
−  ドッキング時に、二次ドッキーデバイス上のアプリケーションを起動可能にする
のうちの少なくとも１つによって、一次ドッキーデバイスによって制御されるよう構成される。
【００１２】
この目的のために、本発明の他の側面によれば、第１段落に記載される方法は、ホストデバイスにおいて、
−  少なくとも１つのドッキーデバイスに少なくとも１つの周辺機器へのアクセスを与えるようドッキーデバイスをドッキングするステップであって、ドッキングは、少なくとも１つの一次ドッキーデバイス及び少なくとも１つの二次ドッキーデバイスのドッキングを含む、ステップと、
−  レンダリングされるＡＶデータを決定するための少なくとも１つの周辺機器の制御権を一次ドッキーデバイスに与えるステップと、
−  レンダリングされるＡＶデータの少なくとも一部を二次ドッキーデバイスに転送するステップとを含み、
ドッキングは、一次ドッキーデバイスの指示を受けて、
−  二次ドッキーデバイスのドッキングをトリガする信号を送信する、
−  二次ドッキーデバイスの妨害レベルを制御する、及び
−  二次ドッキーデバイス上のアプリケーションを起動する
のうちの少なくとも１つによって二次ドッキーデバイスを制御することを含む。 
【００１３】
この目的のために、本発明の他の側面によれば、第１段落に記載される方法は、ドッキーデバイスにおいて、
−  一次ドッキーデバイスとして、レンダリングされるＡＶデータを決定するための少なくとも１つの周辺機器の制御を実行するステップと、
−  二次ドッキーデバイスとして、レンダリングされるＡＶデータの少なくとも一部を受信してレンダリングするステップとを含み、
方法は、一次ドッキーデバイスにおいて、
−  二次ドッキーデバイスのドッキングをトリガする信号を送信する、
−  二次ドッキーデバイスの妨害レベルを制御する、及び
−  二次ドッキーデバイス上のアプリケーションを起動する
のうちの少なくとも１つをドッキングプロセッサに指示することによって二次ドッキーデバイスを制御するステップを含み、
方法は、二次ドッキーデバイスにおいて、それぞれ、
−  二次ドッキーとしてのドッキングをトリガする信号を受信し、信号の受信時に、ホストデバイスにドッキングするための１つ以上のアクションを開始する、
−  ドッキング時に、二次ドッキーデバイスの妨害レベルを制御可能にする、及び
−  ドッキング時に、二次ドッキーデバイス上のアプリケーションを起動可能にする
のうちの少なくとも１つによって、一次ドッキーデバイスによって制御されるステップを含む。
【００１４】
この目的のために、本発明の他の側面によれば、第１段落に記載されるコンピュータプログラム製品は、上記方法のいずれかをプロセッサに実行させ得るプログラムを含む。
【００１５】
上記手段は、ドッキーデバイスが一次ドッキーデバイス及び二次ドッキーデバイスに分類されるという効果を有する。一次ドッキングデバイスはホストデバイスによって提供される少なくとも１つの周辺機器の制御権を有し、一方、二次ドッキングデバイスはドッキングされ、一次ドッキーデバイスによって制御される周辺機器を介してレンダリングされるＡＶデータの少なくとも一部を受信する。したがって、一次ドッキーデバイスはＡＶデータを供給し、ＡＶデータをレンダリングするよう周辺機器を制御し、一方、二次ドッキーデバイスは、一次ドッキーによって制御される周辺機器を介してレンダリングされるＡＶデータの全て又は一部を受信できるようになる。これは、容易な連携及び情報の共有が重要な（アドホック）会議、講義等に非常に有用である。
【００１６】
好適には、一次ドッキーデバイスは、二次ドッキーデバイスのドッキングをトリガする信号を送信する、二次ドッキーデバイスの妨害レベルを制御する、及び二次ドッキーデバイス上のアプリケーションを起動する、のうちの少なくとも１つによって、ホストデバイス内のドッキングプロセッサを介して二次デバイスを制御する。一次ドッキーデバイスの指示を受けて、１つ以上のドッキーデバイスの妨害レベル（着信音による騒音等）が制御され得る。好適には、このような制御は、例えば会議室／講義室、教室内のドッキーのグループの騒音レベルを一次ドッキーが効果的に制御することを可能にする。更に、１つ以上のドッキーデバイス上のアプリケーションが起動され得る。例えば、各ドッキー上でローカルに動作するアプリケーションが（１人以上の）ユーザーへのデータの提示、インタラクティビティの管理、（１人以上の）ユーザーによる許可の設定等を取り扱う。このアプリケーションはドッキー上に予めイントールされていてもよく、又はＷＤＨ若しくは一次ドッキーによって（アプリケーションがダウンロード及びインストールされる）二次ドッキーにプッシュされてもよい。後者のオプションは、カスタマイズされたアプリケーション及び／又はアプリケーション拡張（プラグイン、スクリプト、コンテンツ等）が会議中に及び又は会議／講義室のインフラを制御するために使用されることを可能にする。一次ドッキングのアプリケーションは、二次ドッキーに供給されるアプリケーションとは異なり且つ／又はより多くのオプションが有効化されてもよい。また、アプリケーションは、ドッキーデバイスのユーザーに対してインタラクティブなタスク、例えば投票又はアンケートを提供し得る。更に、各ドッキーデバイスは、ドッキング時に、ドッキーデバイスの妨害レベルを制御できるよう、アプリケーションをドッキーデバイス上にダウンロードし且つ／又はドッキーデバイス上で起動できるよう構成されてもよい。
【００１７】
ホストは、更に、ドッキーがＷＤＨとドッキングする場合に通常起こるように、ドッキングプロトコルを使用する本物の周辺機器（例えばＵＳＢウェブカム）であるかのようにドッキーに見えるドッキング用の周辺機器（例えば模擬ウェブカム）として、ＡＶ出力を二次ドッキーに利用可能にするよう構成されてもよい。したがって、実際には、ホストはある周辺機器のセットを一次ドッキーに提供し、かかる模擬周辺機器を含み得る周辺機器の他のセットを二次ドッキーに提供し得る。この場合、二次ドッキングデバイスは、一次周辺機器の制御権及び／又はアクセス権を有することなく、対応する一次周辺機器を介してレンダリングされるＡＶデータの少なくとも一部を受信及びレンダリングする二次周辺機器の制御権及び／又はアクセス権を有し得る。
【００１８】
また、本発明は次の認識に基づく。従来、ドッキングは、ドッキーが周辺機器の意図される機能を実行するよう周辺機器を制御するために、すなわち周辺機器「そのまま」を制御するために周辺機器へのアクセスを得ると仮定する。発明者は、ドッキーを少なくとも２つのタイプに分類し、一次ドッキーにのみ周辺機器の制御権を与えることによって、上記した同じ周辺機器にドッキングしようとする際のドッキー間の干渉の問題が克服されると考察した。二次ドッキーは異なる制限された周辺機器へのアクセスを取得し、又は、実際には、オリジナルの周辺機器へのアクセスに代わる異なる周辺機能が二次ドッキーに提供される。例えば、一次ドッキーがディスプレイへのアクセスを得る一方、二次ドッキーは、カメラ機能と類似する周辺機器のビデオデータストリームを受信することにより、ディスプレイ上で出力をモニタリングできるようになる。
【００１９】
オプションで、ホストデバイスにおいて、ドッキングプロセッサは、レンダリングされるＡＶデータを決定するための少なくとも１つの周辺機器への書き込みアクセスを一次ドッキーデバイスに与え、レンダリングされるＡＶデータの少なくとも一部を転送するための少なくとも１つの周辺機器への読み取りアクセスを二次ドッキーデバイスに与えるよう構成される。例えば、読み取りアクセスは、オリジナルのフル解像度のＡＶデータ、又は修正された、例えばスケーリング及び／又はトランスコードされた一次ＡＶデータの表現へのアクセスであってもよい。書き込みアクセスを与えることにより一次ドッキーデバイスは周辺機器を制御できるようになり、一方、読み取りアクセスを得ることにより、二次ドッキーは周辺機器を介してレンダリングされるＡＶデータを受信できるようになる。これは、二次ドッキーが併合された表示出力及び／又はオーディオ出力をモニタリングし、各自の画面及び／又はヘッドフォンでプレゼンテーションを追うことを可能にする。これは、騒々しく、全員が一次ドッキーによって駆動されている（１つ以上の）ディスプレイ周辺機器の良好なはっきりとした視認性及び可読性を有さない可能性がある広い会議／講義室に非常に有用である。
【００２０】
オプションで、ドッキングプロセッサは、ホストデバイスとの無線通信を確立するドッキーデバイスを以下の方法のうちの１つ以上でドッキングするよう構成される。ドッキングプロセッサは、事前の（デバイス又はユーザーの）識別データ又はユーザー・ペアリング・アクションを用いずにドッキーデバイスを一次又は二次ドッキーデバイスとしてドッキングするよう構成され得る。これは、準備ステップ（全員に招待メールを送信する等）を要さずに範囲内のドッキーデバイスを容易にドッキングさせることを可能にする。ドッキングプロセッサは、事前の識別データ又はユーザー・ペアリング・アクションに基づきドッキーデバイスを一次又は二次ドッキーデバイスとしてドッキングするよう構成され得る。これは、準備された通りにドッキーデバイスのグループを形成すること、何らかの共通の情報を共有すること、又は確認若しくは登録データのような何らかのユーザー入力を有することを可能にする。ドッキングプロセッサは、ホストデバイス内の一次認証コードに対応する識別コードを伝送するドッキーデバイスを一次ドッキーデバイスとしてドッキングするよう構成され得る。これは、ホストデバイスによるドッキング前の認証を可能にする。ドッキングプロセッサは、一次ドッキーデバイスからの許可に基づきドッキーデバイスを二次ドッキーデバイスとしてドッキングするよう構成され得る。これは、一次ドッキーデバイスが他のドッキーのドッキングを管理することを可能にする。ドッキングプロセッサは、一次ドッキーデバイスからの単一の許可に基づき複数のドッキーデバイスを複数の二次ドッキーデバイスとしてドッキングするよう構成され得る。これは、一次ドッキーの単一の許可に基づきドッキーのグループを形成することを可能にする。ドッキングプロセッサは、ＩＤトークンによる識別に基づき一次又は二次ドッキーデバイスをドッキングするよう構成され得る。典型例は、ドッキングクレデンシャルを含むＮＦＣトークンの使用であろう。
【００２１】
オプションで、ドッキングプロセッサは、多数のドッキーデバイスを参加者に結びづけられたドッキーデバイスとしてドッキングさせることに基づき参加者の会議を管理するよう構成され、多数のドッキーは少なくとも１つの一次ドッキーデバイスを含む。ドッキングプロセッサはドッキーのグループ、すなわち無線範囲内の複数のドッキーデバイスを管理し、例えば会議室又は教室内の参加者の会議を形成する追加機能を有する。ドッキングプロセッサは、ドッキーデバイスの数に基づき会議の参加者の数をカウントする、ドッキーデバイスから受信されたデータに基づき会議の参加者を登録する、一次ドッキーデバイスに対応する少なくとも１人のプレゼンターを登録する、会議の参加者に会議データを配信する、及び少なくとも１つの一次ドッキーデバイスの制御下で会議データを配信する、のうちの少なくとも１つを行うよう構成され得る。無線範囲はそのまま使用されてもよく、又は、パフォーマンスの目的若しくはプライバシーの理由から、例えば受信信号強度（ＲＳＳＩ）に閾値を設定し及び／若しくはＭＡＣ層（Ｌ２）再送の数に閾値を設定することによって制限されてもよい。好適には、上記機能のうちの１つ以上は簡便に会議を組織すること及び／又はデータを共有することを可能にする。
【００２２】
オプションで、ドッキングプロセッサは複数の一次ドッキーデバイスをドッキングするよう構成される。更に、ドッキングプロセッサは、レンダリングされるＡＶデータを決定するための少なくとも１つの周辺機器の共有制御権を複数の一次ドッキーデバイスに与えるよう構成され得る。共有制御権は、例えば複数の一次ドッキーが共有されるスピーカーシステムの音量を調整することを可能にし得る。更に、ドッキングデバイスプロセッサは、分割画面、オーバーレイ、少なくとも１つのウィンドウ、ビデオスケーリング、オーディオミキシングのうちの少なくとも１つを提供することによって複数の一次ドッキーデバイスの共有ＡＶ出力を管理するよう構成され得る。この共有制御権は、例えば複数の一次ドッキーが会議室内の共有されたＡ／Ｖ出力周辺機器（ＴＶ又はプロジェクタ等）を制御することを可能にし得る。
【００２３】
オプションで、ドッキングプロセッサは、一次及び／又は二次ドッキーデバイスの指示を受けて、二次デバイスを一次ドッキーデバイスに又は一次ドッキーデバイスを二次デバイスに変更するよう構成される。好適には、ドッキーのグループにおいて、一次及び二次ドッキー機能の割り当ては後に変更可能である。更に、ドッキングプロセッサは、２つのドッキーデバイス間の直接通信を可能にするよう構成され、例えば質問及び回答、又はデータを交換可能にするよう構成され得る。このような直接通信は、ユーザー機能としてメッセージングを可能にするために適用され得る。更に、ドッキングプロセッサは、複数のドッキーデバイスをグループ化し、グループのドッキーデバイス間の直接通信を可能にするよう構成され得る。このようなグループ内では、全メンバーが通信できるようになる。また、それぞれの通信設備を有する複数のグループ及び／又はサブグループが形成されてもよい。更に、ドッキングプロセッサは、全ドッキーデバイス間でコンテンツ又はメッセージを共有するよう構成され得る。更に、ドッキングプロセッサは、共有コンテンツを複数のドッキーデバイスに転送するためにローカル・ネットワーク・ブロードキャストを使用し又はコンテンツスケーリングを行うよう構成され得る。
【００２４】
更に、ドッキングプロセッサは、ドッキーデバイスのうちの少なくとも一つ、グループ、又は全てをアンドックさせるよう構成され得る。かかるアンドッキングは、一次ドッキーがセッション、会議、又はグループを終了させることを可能にする。
【００２５】
オプションで、少なくとも１つの周辺機器は、プロジェクタ、スマートボード、ディスプレイスクリーン、スピーカーシステム等の出力周辺機器のセットのうちの少なくとも１つ、マウス、ルームコントロールユニット等の入力周辺機器のセットのうちの少なくとも１つ、又はデータストレージユニット等の双方向周辺機器を含む。
【００２６】
本発明に係るデバイス及び方法の他の好適な実施形態が添付の特許請求の範囲にて与えられ、その開示は参照により本明細書に組み込まれる。
【図面の簡単な説明】
【００２７】
本発明の上記及び他の側面は、下記において例として記載される実施形態及び以下の添付の図面を参照して更に説明され、明らかになるであろう。
【００２８】
【図１】図１は、無線ドッキングシステムを示す。
【図２】図２は、無線ドッキングホスト、一次ドッキー、及び二次ドッキーを有するドッキングシステムの例を示す。
【図３】図３は、無線ドッキングシステムにおける通信構造の例を示す。
【図４】図４は、ドッキーデバイス内の許可の設定の例を示す。
【図５】図５は、ホストデバイスにおける無線ドッキングの方法を示す。
【図６】図６は、ドッキーデバイスにおける無線ドッキングの方法を示す。
【００２９】
図面は純粋に図式的であり、縮尺通りには描かれていない。図中、既に記載された要素に対応する要素は同じ参照番号を有し得る。
【発明を実施するための形態】
【００３０】
無線ドッキングは、ポータブルデバイス上のアプリケーションが周辺機器を利用してアプリケーションとの作業／インタラクションの体験及び生産性を向上させ得るよう、ポータブルデバイス（いわゆる無線ドッキー又はＷＤ）を周辺機器に無線接続可能にすることに関する。周辺機器のグループ化、周辺機器グループの発見／広告、周辺機器グループへの接続の管理は、いわゆる無線ドッキングホスト（ＷＤＨ）によって行われ、ＷＤＨは自身の機能を無線ドッキングプロトコルを通じて利用可能にする。
【００３１】
可能な無線ドッキーは、（限定はされないが）ドッキー電話、ラップトップ、タブレット、ポータブルメディアプレイヤー、カメラ、電子時計を含む。可能なＷＤＨは、（限定はされないが）専用無線ドッキングステーションデバイス、表示デバイス、オーディオデバイス、プリンタ、ＰＣを含む。また、無線ドッキングホストはディスプレイ、ＵＳＢ、及びオーディオインターフェイスを有する小型の（ＰＣのような）ドングルであり得る。可能な周辺機器は、（限定はされないが）ワイヤレスマウス、キーボード、表示デバイス、オーディオデバイス、ウェブカム、プリンタ、ストレージデバイス、ＵＳＢハブを含む。これらの周辺機器は、それらの機能を無線ネットワークを通じてドッキー及びＷＤＨ等の他のデバイスに利用可能にするために、Ｗｉ−Ｆｉ  Ｓｅｒｉａｌ  Ｂｕｓ及びＷｉ−Ｆｉ  Ｍｉｒａｃａｓｔ（登録商標）等の規格をサポートすると考えられる。有線の周辺機器が無線ホストに接続されてもよい。
【００３２】
図１は無線ドッキングシステムを示す。システムは、複数のドッキーデバイス１２０、１３０、１４０、例えば携帯電話、ラップトップ、又はタブレットコンピュータ等と無線通信するホストデバイス１００を含む。以下、第１のドッキーデバイス１２０のみが詳述されるが、他のドッキーデバイスは同様の部品及び機能を有する。ホストデバイスは、オーディオ又はビデオ（ＡＶ）データをレンダリングする複数の周辺機器１１０、１１１、１１２に結合されている。本明細書において、ＡＶデータは任意の種類のビデオデータ、オーディオデータ、又はビデオ及びオーディオデータの組み合わせに関して使用されることに留意されたい。周辺機器は、プロジェクタ又はディスプレイスクリーン１１１のようなビデオ出力デバイス、スマートボード１１０又はタッチスクリーンのようなグラフィカル入出力デバイス、スピーカーシステム１１２又はヘッドフォンのようなオーディオ出力デバイス、マウス又はルームコントロールユニットのようなユーザーコントロールデバイス、データストレージユニット又はプリンタのようなデータ処理デバイスを含み得る。
【００３３】
ホストデバイス１００は、前記無線通信を可能にするホスト通信ユニット１０２、例えば、それ自体は良く知られているＷｉＦｉユニットを有する。ホストデバイスは、更に、少なくとも１つのドッキーデバイスをドッキングさせるよう構成されたドッキングプロセッサ１０１を有する。無線デバイスを無線ドッキングホスト（ＷＤＨ）にドッキングするプロセスは、ＷｉＦｉ又はＢｌｕｅｔｏｏｔｈ（登録商標）等の利用可能な無線チャネルを介してデータリンクを確立するプロセスであり、ＷＯ２０１２／１１７３０６Ａ１を参照して上述したように、それ自体は知られている。Ｂｌｕｅｔｏｏｔｈ（登録商標）の説明は、例えば２００７年７月２６日に発行されたBluetooth Specification, Core Package version 2.1 + EDRにおいて見つけることができる。ドッキングプロセスは、１つ以上の周辺機器へのアクセスをドッキーデバイスに与えることを含む。 
【００３４】
ドッキーデバイス１２０は、ホストとの前記無線通信を可能にするドッキー通信ユニット１２１を有する。実際には、このために複数の通信ユニット、例えばＢｌｕｅｔｏｏｔｈ（登録商標）、Ｗｉ−Ｆｉ、及び６０ＧＨｚが存在し得る。ドッキーデバイスは、更に、少なくとも１つの周辺機器へのアクセスを得るためにドッキーデバイスとしてホストデバイスとドッキングするよう構成されたドッキープロセッサ１２２を有する。
【００３５】
ドッキングプロセッサは次のような機能を有する。ドッキングプロセスは、少なくとも１つの一次ドッキーデバイス１２０及び少なくとも１つの二次ドッキーデバイス１３０をドッキングするよう構成される。一次ドッキーデバイス及び二次ドッキーデバイスは、少なくとも１つの周辺機器への異なるアクセスが確立され、よって第１のドッキー及び第２のドッキーのそれぞれに異なるアクセス権及び周辺機能のセットが割り当てられるという点で異なる。具体的には、一次ドッキーデバイスには、レンダリングされるＡＶデータを決定するための少なくとも１つの周辺機器の制御権が与えられる。二次ドッキーデバイスには、少なくとも１つの周辺機器によってレンダリングされるＡＶデータが追加で転送され、ＡＶ出力データを二次ドッキーにてローカルにモニタリングすること、例えばビデオをドッキーデバイスのディスプレイ上でレンダリングすることが可能になる。 
【００３６】
ドッキープロセッサは次のような機能を有する。上記したように、ドッキングプロセスは、一次ドッキーデバイス又は二次ドッキーデバイスとしてのドッキングのために構成される。具体的には、一次ドッキーデバイスとしてドッキングされたとき、ドッキープロセッサは、レンダリングされるＡＶデータを決定するための少なくとも１つの周辺機器の制御を実行する。二次ドッキーデバイスとしてドッキングされたとき、ドッキープロセッサは、少なくとも１つの周辺機器を介してレンダリングされるＡＶデータを受信する。したがって、ホストに結合された周辺機器を介してレンダリングされるＡＶデータは二次ドッキーにも転送され、ドッキーデバイス上でのレンダリング、よってホスト周辺機器を介してレンダリングされるＡＶデータのモニタリングが可能になる。
【００３７】
ドッキーを異なるタイプに分類することは、特定の周辺機器へのアクセス時に予期しない干渉を伴うことなく複数のユーザーが容易に情報を共有し、協力し、共にタスクを実行することができる、全く新しい適用範囲を切り開く。適用例は、無線ドッキングステーションのユーザー間のローカルなインタラクティビティを加える可能性を含み、会議室、講義室、及び教室内でのマルチユーザー無線ドッキングのための方法及びデバイスを提供する。
【００３８】
会議又は講義中に複数の人が寄り合うとき、情報を交換し、協力し、又は会議録、プレゼンテーション、ホワイトボード、若しくはスマートボードの内容等の会議の結果を共有する必要がある。更に、簡単にプレゼンターを交替し、投票／調査／試験を行い、プレゼンスリストを作成し、アジェンダを共有する等の必要がある。現在の会議室、講義室、教室は、室内の一人だけが自身のラップトップを周辺機器、例えばプロジェクタにビデオケーブルを使用して物理的に接続し、自身のラップトップから何らかのコンテンツをプレゼンするよう構成されている。このような構成はインタラクティビティ及び協力オプションに欠け、コンテンツの容易な共有を提供しない。また、プレゼンターの交替には手間がかかり、物理的な制約がある（例えばビデオケーブルの長さのために）。Ｗｉ−Ｆｉ  Ｍｉｒａｃａｓｔ（登録商標）及び無線ドッキング等の無線技術はこれらの制約の一部を克服することを援助し、人々をケーブルの使用から解放するであろう。しかし、Ｗｉ−Ｆｉ  Ｍｉｒａｃａｓｔ（登録商標）及び無線ドッキングは周辺機器への無線接続の課題を解決し得るものの、これらの技術は協力、共有、及びインタラクティビティのために必要な能力を有さない。
【００３９】
会議の参加者間のインタラクティビティ、共有、及び協力を提供するために、Ｌｉｖｅｍｅｅｔｉｎｇ等のウェブ会議アプリケーションが使用され得る。しかし、Ｌｉｖｅｍｅｅｔｉｎｇのセットアップは、例えば、事前にユーザー管理及びユーザーのメールアドレスを必要とし、中央サーバ（及び高価なサービス／ライセンス）を必要とし、全員のインターネット／メールが稼働していることを必要とし、全員がパスワード／参加者コードを使用してログインすることを必要とする。これは、ユーザーによるセットアップを煩わしくさせる。これらの技術は遠隔（共同）作業用にも設計されるため、ローカルな無線作業からの制約は考慮しない。
【００４０】
異なるドッキーのタイプを作成する上記ドッキングプロセスによって改良された無線ドッキングを使用することにより、会議／講義中のインタラクティビティ、協力、及び共有、並びにかかる会議の準備の簡便さを著しく向上させることができる。システムは、周辺機器（ディスプレイ、マウス、共有ローカルストレージ、照明／ブラインドコントローラ、インターネット接続等）のセットに接続された無線ドッキングホスト（ＷＤＨ）に複数のドッキーデバイス（スマートフォン、ラップトップ、タブレット等）を同時にドッキングすることを可能にし、ドッキーデバイスは、一次ドッキーデバイスと二次ドッキーデバイスとに分類される。一次ドッキーデバイスはＷＤＨが提供する周辺機能への直接のアクセスを有し、一方、二次ドッキーデバイスは選択されたＡＶデータのモニタリングを可能にするためにＷＤＨに接続される。したがって、二次ドッキーとしてドッキングされたドッキーデバイスは、一次デバイスの周辺機器への出力（例えば、併合された表示出力）をモニタリングすることができる。ＷＤＨは、更に、以下を可能にするよう構成されてもよい。
・  登録又は管理を伴わず、また、事前に全員の連絡先を知ることを要さない、ローカルネットワークの範囲内の複数のドッキングデバイスとの自動ドッキング。
・  事前に設定された登録又は管理に基づくローカルネットワークの範囲内の複数のドッキングデバイスとの自動ドッキング。
・  自動ローカル存在検出、並びに自動の会議参加者の数のカウント及び会議参加者の登録。
・  ローカル・ネットワーク・ブロードキャスト（又はマルチキャスト）及び適用可能なコンテンツに対するコンテンツスケーリングの使用による、バンド幅効率がよく、インターネット上の中央ウェブサーバを要さない、ドッキングされた全デバイス間でのコンテンツ及びメッセージの共有。
・  中央ウェブサーバを要さない、一次ドッキングデバイスのユーザー（プレゼンター）と二次ドッキングデバイスのユーザー（出席者）との間のインタラクティビティ及び協力。
・  講義室／教室内での個人のドッキングデバイスのヘッドフォン及びマイクを用いたオーディオサービス。
・  単純且つ合理的な方法での中央周辺機器（スクリーン、プロジェクタ、ホワイトボード、スピーカー）の安全でローカルな受け渡し。
・  一次ドッキングデバイスからの（出席者の）ドッキングデバイス許可の管理。
・  全参加者の一次ドッキングデバイスからの自動アンドッキング。
【００４１】
無線ドッキングシステム内の中央要素は、複数のドッキングデバイス（ドッキー）の同時無線ドッキングを処理することを可能にする無線ドッキングホスト（ＷＤＨ）デバイスである。複数のドッキーはＷＤＨに同時に接続され、ＷＤＨは有線及び／又は無線周辺機器のセットを管理し、無線メッセージング及びストリーミングプロトコルのセットを通じてこれらの周辺機器へのアクセスをドッキーに与える。これにより、ＷＤＨは複数のドッキーを一次ドッキーと二次ドッキーに、例えばプレゼンターと出席者に分類する。一次ドッキーは、ＷＤＨによって二次ドッキーが利用可能にされる周辺機器のセットＹとは異なる周辺機器又は周辺機能のセットＸへのアクセスをＷＤＨによって与えられる。
【００４２】
一次ドッキーと二次ドッキーとの間の違いは、特定の周辺機器へのアクセスを有するか否かを含み得ることに留意されたい。また、一次ドッキーは特定の周辺機器に対して異なる種類のアクセスを有し、具体的には書き込みアクセスを有し得る。一次ドッキーがディスプレイスクリーン及び／又はオーディオに対して読み取り及び書き込みアクセスを有する一方、二次ドッキーは読み取りアクセスのみを有してもよい。例えば、このような違いは講義室のユースケース及び会議室のユースケースに該当し得る。よって、システムは同じ周辺機器に対する異なる種類のアクセスを可能にすることにより、周辺機器を共有することを可能にする。他の周辺機器は能力を分割することによって共有され、例えば、共有ストレージ周辺機器が小さく区分されて各二次ドッキーに利用可能にされ得る。また、Ａ／Ｖ出力は、ドッキーには通常の周辺機器であるかのように見える模擬周辺機器（例えば模擬ウェブカム）を通じて二次ドッキーに供給され得る。
【００４３】
ドッキングシステムの一実施形態では、ＷＤＨは、ＷＤＨに接続された全ドッキーがローカル・ネットワーク・ブロードキャスト／マルチキャスト及びユニキャストメッセージを使用して互いに通信することを可能にするＩＰ接続を全ドッキーが有することを可能にするよう構成される。このようにすることの利点は、一次ドッキーがＷＤＨに接続された周辺機器、例えば大きなスクリーン及びＵＳＢプレゼンテーション・リモートコントローラ等を使用してコンテンツをプレゼンすることを可能にすること、及び、会議／講義室内の他の人があらゆる種類の協力及びインタラクションを目的にプレゼンター及び互いに接続できることである。一次ドッキー／プレゼンターは、例えば出席者に投票／選択肢／アンケートを送信するために、又は会議録、ウェブリンク、及び協議事項等のコンテンツをプッシュするために、二次ドッキー間に作成されたローカルネットワークを使用することができる。出席者は質問に回答し及び互いにメッセージを送ることができる。
【００４４】
ドッキングシステムの一実施形態では、ＷＤＨに同時にドッキングされているドッキーが形成するローカルネットワーク上の共通の（分散（decentralized））メッセージングサービスを使用して互いにメッセージ及びコンテンツを送信することができる。これは、ドッキーユーザーが会議／講義中に互いに協力し、インタラクトし、コンテンツを共有することを可能にする。
【００４５】
ドッキングシステムの一実施形態では、ＷＤＨデバイスは、更に、一次ドッキーによって１つ以上のディスプレイ及び／又はオーディオ周辺機器に送信されるビデオ及び／又はオーディオ出力に対応するビデオ及び／又はオーディオストリームを作成及び供給するよう構成される。これは、全ドッキー（一次及び二次）が併合された表示出力及び／又はオーディオ出力をモニタリングし、各自のスクリーン及び／又はヘッドフォンでプレゼンテーションを追うことを可能にする。これは、騒々しく、全員が一次ドッキーによって駆動されている（１つ以上の）ディスプレイ周辺機器の良好ではっきりとした視認性及び可読性を有さない可能性がある広い会議／講義室に非常に有用であり、また、協力のために画面を同時に共有することを望み得る他の一次ドッキーのユーザーのためのより良い画面の視認性及び制御性を得るために有用である。 
【００４６】
ドッキングシステムの一実施形態では、ＷＤＨデバイスは、更に、室内の全員に聞こえるようオーディオ周辺機器のオーディオ出力を介してレンダリング及び／又は混合されるオーディオストリームを一次ドッキー及び／又は二次ドッキーから受信するよう構成される。これは、各自のドッキングデバイスのマイクを使用して質問又は回答する機会をドッキーユーザーに与え、さもなければ講師／プレゼンターに質問が適切に聞こえないおそれがある騒々しい環境及び広い会議／講義室に非常に有用である。
【００４７】
ドッキングシステムの一実施形態では、ＷＤＨデバイスは二次ドッキーのドッキングをトリガする信号を送信し、信号の受信後、ドッキーデバイスはＷＤＨとドッキングするための１つ以上のアクションを開始し得る。例えば、信号はＷｉ−Ｆｉ  Ｄｉｒｅｃｔサービスフレームワークを介して交換され得る。ドッキーはＷｉ−Ｆｉ  Ｄｉｒｅｃｔを介して発見可能なサービスを提供し得る。ＷＤＣはプローブ要求及びＧＡＳフレームを介してサービスを発見し得る。その後、ドッキーにドッキングを求めるために、トリガ信号はプロビジョン発見リクエスト及びＲＥＱＵＥＳＴ＿ＳＥＳＳＩＯＮメッセージを含み得る。このような信号を有することの利点は、協力、会議資料／結果の容易な共有、試験の実施、妨害レベルの管理等のために会議室内の全員がＷＤＨとドッキングするようアクティブに招待されることである。また、ドッキーデバイスが（一次及び／又は二次）ドッキングデバイスになるのに事前登録又は管理が要求されなくてもよい。連絡先、例えばメールアドレスは自動的に、リクエストに応じて、又はドッキーデバイスのユーザーの同意を受けて交換されてもよい。更に、システムは、１つ以上の選択基準を満たす範囲内のドッキーのサブセットにのみ信号を送信してもよい。このようにすることの利点は、会議／講義に関与するユーザーのドッキーのみがドッキングを求められ、ＷＤＨの近傍にいる過度に多くの他の人、例えばたまたま会議／講義室に通りかかった人が招待されないことを保証することである。
【００４８】
ドッキングシステムの一実施形態では、一次ドッキーデバイスは、ドッキングを開始するために二次ドッキーに信号を送るようＷＤＨをトリガするメッセージをＷＤＨに送信することができる。他のドッキーデバイスへの直接通信が利用可能な場合、一次ドッキーデバイスは範囲内の他のドッキーデバイスに直接ドッキングリクエスト又はコマンドを送信し得る。これの利点は、講師又は議長が他の人々の参加の可否を管理できることである。
【００４９】
ドッキングシステムの一実施形態では、二次ドッキーは接続を確立するのにアクティブなユーザーペアリングを行う必要が無い。これは、ＷＤＨとの接続を確立することを会議室内の全員にとって容易にする。
【００５０】
ドッキングシステムの一実施形態では、ＷＤＨデバイスは、一次ドッキーが二次ドッキーを一次ドッキーにする若しくは加えること、及び／又は、二次ドッキーに周辺機器への更なる若しくは異なる種類のアクセスを許容することを可能にする。これは会議中の容易なプレゼンター間の切り替え及び協力を可能にし、通常、完全に再開するまでに長時間を要するＶＧＡケーブルの受け渡し及び接続を回避する。
【００５１】
ドッキングシステムの一実施形態では、ＷＤＨデバイスは、一次ドッキーが全参加者をＷＤＨデバイスからアンドックすることを可能にする。これは会議／講義の終了時に全員がアンドックするための容易な方法を可能にする。
【００５２】
ドッキングシステムの一実施形態では、ドッキーデバイスは、一次ドッキーによって１つ以上のディスプレイ及び／又はオーディオ周辺機器に送信されたビデオ及び／又はオーディオ出力に対応する、ＷＤＨによって供給されるビデオ及び／又はオーディオストリームに接続し、ドッキーデバイスは受信された各ストリームをスクリーン及び／又はオーディオ出力デバイス上でレンダリングする。これは、全ドッキー（一次及び二次）が併合された表示出力及び／又はオーディオ出力をモニタリングし、各自のスクリーン及び／又はヘッドフォンでプレゼンテーションを追うことを可能にする。これは、騒々しく、全員が一次ドッキーによって駆動されている（１つ以上の）ディスプレイ周辺機器の良好ではっきりとした視認性及び可読性を有さない可能性がある広い会議／講義室に非常に有用であり、また、協力及び画面の共有を望み得る他の一次ドッキーのユーザーのためのより良い画面の視認性及び制御性を得るのに有用である。
【００５３】
ドッキングシステムの一実施形態では、ドッキーデバイスは、自身の１つ以上のオーディオ入力デバイス（例えばマイク）からの入力信号からオーディオストリームを作成及び供給し、それをＷＤＨに送信し得る。これは、各自のドッキングデバイスのマイクを使用して質問又は回答する機会をドッキーユーザーに与え、さもなければ講師／プレゼンターに質問が適切に聞こえないおそれがある騒々しい環境及び広い会議／講義室に非常に有用である。
【００５４】
ドッキングシステムの一実施形態では、ドッキーデバイスはドッキングを開始するためのＷＤＨからの信号を自動的にサーチし得る。かかる信号のサーチは、ユーザーによってトリガされた後に開始し、その後信号を受信してＷＤＨにドッキングするための１つ以上のアクションが開始されてもよい。１つ目のオプションは常に有効化され、常に動作するという利点を有し、２つ目のオプションはより少ないバッテリ電力を要求するという利点を有する。
【００５５】
ドッキングシステムの一実施形態では、各種のドッキーが、異なるアクセス可能な周辺機能のセットを受け取る。具体的には、ホスト、例えばＰＣは、共有周辺機器及び独占的周辺機器をドッキーに利用可能にし、ここで、独占的周辺機器（すなわち、単一のソースとしかデータをやり取りできない周辺機器）は次のように取り扱われ得る。
１）画面全体ではなくディスプレイ上のウィンドウが利用可能にされ得る。独占的ディスプレイは実質的に共有周辺機器にされる。あるドッキーがフォーカスされているとき、マウス／キーボード制御権はそのドッキーに与えられる。
２）ディスプレイをフルスクリーンで使用するために、ドッキー間又はホストＰＣ自体への切り替え用のホットキーが提供される。
３）ＷＤＨが強制的にあるドッキーから周辺機器を解除し、それらを別のドッキーに与えることを可能にする方法。
【００５６】
図２は、無線ドッキングホスト、一次及び二次ドッキーを有するドッキングシステムの例を示す。図２は周辺機器のセット、例えばディスプレイ、オーディオスピーカー、及び他の周辺機器に接続された無線ドッキングホスト（ＷＤＨ／ＧＯ）２００を示す。周辺機器への高速アクセス又は一次（及びオプションで二次）ドッキーによって使用されるインターネットアクセスのためのイーサネット（登録商標）接続２１０、複数の周辺機器の接続をサポート可能なＵＳＢインターフェイス２１１、又はＨＤＭＩ（登録商標）２１２等の周辺機器インターフェイスを介して更なる周辺機器が使用されてもよい。一次ドッキーデバイス（プレゼンターＰ）２３０は、典型的にはユニキャスト信号によってホストにデータを送信するよう示されている。二次ドッキーデバイス（出席者Ａ）の第１のセット２２０は、例えばユニキャスト信号２４０によってホストから個別のデータを受信するよう示されている。二次ドッキーデバイス（出席者Ａ）の第２のセット２２１は、例えばブロードキャスト信号２４１によってホストから同じデータを受信するよう示されている。更に、図２は、第１のセット２２０からの二次ドッキーデバイスと第２のセット２２１との間の直接無線通信、例えばユニキャストメッセージを矢印１０１によって示す。
【００５７】
図示の実施例では、ドッキーのセットはＷｉ−Ｆｉ  Ｄｉｒｅｃｔを使用してＷＤＨに同時に接続され、Ｗｉ−Ｆｉ  Ｄｉｒｅｃｔから知られるように、ＷＤＨはＷｉ−Ｆｉ  Ｄｉｒｅｃｔグループオーナー（ＧＯ）である。他のトポロジーは以下を含み得る。
１）二次ドッキーのために別個のグループ
２）ドッキー毎に別個のグループ
３）周辺機器のために別個のグループ
【００５８】
一次ドッキー／プレゼンターＰは、複数の出席者に対してプレゼンテーションを行うためにＷＤＨ周辺機器を使用することができる。Ａによって表される二次ドッキーは、例えばルーティング又はブリッジングＩＰトラフィックを介して互いにインタラクトし、コンテンツを共有し、及びメッセージを送信することを可能にするメッセージンググループを合わせて形成し得る。ＷＤＨは、プレゼンターＰによってＷＤＨ周辺機器に送信される出力に対応するＡ／Ｖストリームを供給する。これは、二次ドッキーデバイスのユーザーが、ＷＤＨ周辺機器を見る及び／又は聞くことによってプレゼンテーションを追うことに加えて、各自のポータブルドッキングデバイス上でプレゼンテーション（オーディオ及び／又はスライド、スマートボードの内容、チャット等を表示するビデオ）を追うことを可能にする。一次ドッキー／プレゼンターは、例えば出席者に投票／選択肢／アンケートを送信するために、又は会議録、ウェブリンク、及び協議事項等のコンテンツをプッシュするために、二次ドッキー間に作成されたローカルネットワークを使用することができる。必要な又は許可された場合、出席者は質問に回答し及び互いにメッセージを送信することができる。必要に応じて、一次ドッキー／プレゼンターは他のプレゼンターにＷＤＨ周辺機器を受け渡すことができる。（１つ以上の）プレゼンテーションの終了時、最後のプレゼンターによって全ての（出席者）二次デバイスをアンドックすることができる。
【００５９】
以下、Ｗｉ−Ｆｉ  Ａｌｌｉａｎｃｅの文献“Wi-Fi Wi-Fi Peer-to-Peer (P2P) Technical Specification, Version 1.1, 2010”から知られるＷｉ−Ｆｉ  Ｄｉｒｅｃｔ（Ｗｉ−Ｆｉ  Ｐｅｅｒ  ｔｏ  Ｐｅｅｒとも呼ばれる）を使用する更なる実践的な実施形態及び実装オプションを提供する。Ｗｉ−Ｆｉ  Ｄｉｒｅｃｔは無線アクセスポイントを要することなくＷｉ−Ｆｉデバイスが互いに接続することを可能にする規格である。Ｗｉ−Ｆｉ  Ｄｉｒｅｃｔはスタンドアロン無線デバイス及び周辺機器、例えばＷｉ−Ｆｉ  Ｍｉｒａｃａｓｔ（登録商標）をサポートする表示デバイス／周辺機器及びＷｉ−Ｆｉ  Ｓｅｒｉａｌ  ＢｕｓをサポートするＩ／Ｏデバイス／周辺機器（例えばワイヤレスマウス、キーボード、プリンタ、ＵＳＢハブ）の接続にとって重要な役割を果たす。したがって、Ｗｉ−Ｆｉ  Ｄｉｒｅｃｔは無線ドッキングにとって重要な技術であり、ポータブルデバイスが多数の無線周辺機器と接続することを可能にする技術である。Ｗｉ−Ｆｉ  Ｄｉｒｅｃｔでは、通常、新たに作成されるＷｉ−Ｆｉ  Ｄｉｒｅｃｔ接続毎にユーザーペアリングステップが実行されなければならない。２つのＷｉ−Ｆｉ  Ｄｉｒｅｃｔデバイスが通信することを望むとき、一方がいわゆるグループオーナー（ＧＯ）になる。他方のデバイスはクライアントの役割を担う。両者は合わせていわゆるＰ２Ｐグループを形成する。グループ内の全てのＷｉ−Ｆｉ  Ｄｉｒｅｃｔデバイスが同じＧＯに接続し、ＧＯがＷｉ−Ｆｉ  ＤｉｒｅｃｔのいわゆるＩｎｔｒａ−ＢＳＳ  Ｄｉｓｔｒｉｂｕｔｉｏｎ特徴をサポートする場合、他の無線デバイスはこのＧＯに接続すればグループ内の全デバイスと通信できるようになる。Ｉｎｔｒａ−ＢＳＳ  Ｄｉｓｔｒｉｂｕｔｉｏｎフィールドは、デバイスが、グループ内のクライアント間のデータ分配サービスを提供するグループをホストしている又はホストすることを意図するか否かを示す。
【００６０】
ＧＯはＡＰと多くの類似点を有する。例えば、ＧＯは他のデバイスをＰ２Ｐグループに参加させ、Ｐ２Ｐグループ内の異なるデバイス間のトラフィックを分配する可能性を提供することができる。しかし、上述したように、デバイスが中継トラフィックすることを要さずに互いに直接通信できることは有益である。Ｗｉ−Ｆｉ  Ｄｉｒｅｃｔの場合、これは、他のデバイスのそれぞれと個別に接続及びペアリングしなければならないことを意味する。これは、特に複数のデバイスが関与する場合、面倒である。例えば、ポータブルデバイスが多数の無線周辺機器と無線ドッキングする場合、ユーザーが各無線周辺機器と個別にユーザーペアリングステップを実行することが必要ならば非常にユーザーアンフレンドリーである。したがって、ペアリングアクションの数を最小に抑えることは非常に重要である。
【００６１】
ＩＥＥＥによって２０１０年１０月１４日に発行された文献“IEEE Std 802.11z-2010 Part 11: Wireless LAN Medium Access Control (MAC) and Physical Layer (PHY) specifications, Amendment 7: Extensions to Direct-Link Setup (DLS)”から知られるＴＤＬＳ（Tunnelled Direct Link Setup）は、セキュア直接接続を確立するために再度ペアリングする必要なく、共に同じＷｉ−Ｆｉアクセスポイント又はＷｉ−Ｄｉｒｅｃｔ  ＧＯに接続された２つのデバイス間の直接リンクを確立することを可能にするＷｉ−Ｆｉのオプションである。これは次のように実行される。ＴＤＬＳ有効Ｗｉ−ＦｉデバイスがＡＰに接続されると、当該デバイスは直接接続を確立するために同じＡＰに接続された他のＴＤＬＳ有効デバイスにリクエストを送信することができる。セキュリティ・クレデンシャル及び使用Ｗｉ−Ｆｉチャネルに関する情報等の情報を交換した後、両デバイスは両者間のプライベートなセキュア直接リンクを開始することができる。
【００６２】
一実施形態では、ホストデバイスが有線及び無線周辺機器のセットに接続され、クライアントデバイスがネットワーク・メッセージング及びストリーミング・プロトコル（いわゆる周辺機能プロトコル）のセットを通じて無線ネットワーク（Ｗｉ−Ｆｉ等）上でそれらの機能を利用することを可能にする。周辺機能プロトコルの例はＷｉ−Ｆｉ  Ｍｉｒａｃａｓｔ（登録商標）、Ｗｉ−Ｆｉ  Ｓｅｒｉａｌ  ｂｕｓ、ＷｉＧｉｇ  Ｂｕｓ  Ｅｘｔｅｎｓｉｏｎ、ＵＰｎＰ／ＤＬＮＡメディアストリーミング、Ｉｎｔｅｒｎｅｔ  Ｐｒｉｎｔｉｎｇ  Ｐｒｏｔｏｃｏｌ、Ａｉｒｐｌａｙ、Ｗｉ−Ｆｉ  Ｄｉｒｅｃｔ  Ｐｒｉｎｔ／Ｐｌａｙ／Ｄｉｓｐｌａｙ／Ｓｅｎｄ  Ｓｅｒｖｉｃｅ等を含む。周辺機能及びホストデバイスの発見、接続管理／最適化、及び制御は、ホストデバイス（無線ドッキングホスト又はＷＤＨと呼ばれる）とクライアントデバイス（ドッキーと呼ばれる）との間のいわゆる無線ドッキングプロトコルによって更に容易化される。 
【００６３】
一実施形態では、ＷＤＨはドッキー間の相互通信をサポートするためのＷｉ−Ｆｉ  Ｄｉｒｅｃｔ  Ｉｎｔｒａ−ＢＳＳモードをサポートするグループオーナー（ＧＯ）として動作する。全てのドッキーがＷｉ−Ｆｉ  Ｄｉｒｅｃｔを使用してＷＤＨに接続される。ＷＤＨはＧＯなので、ドッキーにＷｉ−Ｆｉ  Ｄｉｒｅｃｔネットワーク内での通信用のＩＰアドレスを与えるようＤＨＣＰサーバを提供し得る。代替的な実施形態では、ドッキー及びＷＤＨは同じＷＬＡＮアクセスポイント（ＡＰ）に接続され、よってブロードキャストメッセージが可能になり、ドッキー間及びドッキーとＷＤＨとの間の全ての接続が最大でシングルホップ接続であり、また、ＴＤＬＳに基づき得る。ＤＨＣＰを使用する代わりに、ローカルＩＰアドレス生成及びネーム・ベース・サービスのためにＺｅｒｏｃｏｎｆ（Zero configuration networking）が使用されてもよい。また、ＷＤＨがＷＬＡＮ  ＡＰに組み込まれ、ＤＮＳサーバをサポートしてもよい。ＷＤＨは、更に、少なくとも２つの異なるドッキーのクラス（前記一次及び二次ドッキー）のリストを保持するよう構成されてもよい。
【００６４】
ドッキーがＷＤＨに接続した後又は接続する間に、ＷＤＨは各ドッキー又はそのユーザーを特定することにより、ドッキーがどのクラスに属するかをドッキー毎に決定する。一実施形態では、ＷＤＨとドッキングする最初のドッキーが自動的に一次ドッキーになる。他の実施形態では、特別なクレデンシャル（例えば、信頼できる証明書又は高い認可レベル）を有するドッキー、又は特定の所定のセットの一員であるドッキーが一次ドッキーになる。あるいは、ＷＤＨはドッキーを一次ドッキーにする何らかのユーザーインターフェイス（ＵＩ）手段を有する。通常、二次ドッキーが一次ドッキーになることを一次ドッキーのユーザー又はＷＤＨのユーザーが許容しない限り、他のドッキーは全て二次ドッキーになる。上記したように、ドッキング時又は一次及び／若しくは二次ドッキーになる際、自動的に、リクエスト／許可に応じて、又は一次ドッキーの制御下でアプリケーション（いわゆるアプリ）がダウンロード及び／又は起動され得る。
【００６５】
他の実施形態では、ＷＤＨは一次ドッキーがメッセージをプッシュすること、一次ドッキーから他のドッキーに投票／選択肢／アンケート、協議事項、キャプチャされたホワイトボードコンテンツ又はドキュメントを送信すること、及び適当な場合には、任意で応答タイムアウト制限を使用して応答を集めることを可能にする。他の実施形態では、ＷＤＨは、例えばＸＭＰＰインスタント・メッセージング・フレームワークを用いたドッキー間のＰ２Ｐメッセージ交換を可能にする。この特徴のために、ＷＤＨはＩＭクライアントのためのダイナミック・ネーム・サーバとして機能し得る。
【００６６】
他の実施形態では、周辺機器のセットは１つ以上のディスプレイ周辺機器を含む。ＷＤＨは、一次ドッキーが１つ以上のディスプレイ周辺機器に送信する出力に対応するビデオストリームを供給するよう構成され得る。２つ以上の一次ドッキングデバイスが同じディスプレイ周辺機器に同時に出力を送信する場合、ＷＤＨは分割画面、ＰＩＰ、オーバーレイ又は任意の他のオーディオ及びビデオミキシング手段、スケーリング及び／又は再符号化を使用して表示出力を併合し得る。また、ＷＤＨは、ＷＤＨが供給するオーディオストリームを通じて、オーディオ周辺機器への一次ドッキーの出力をドッキーがモニタリングすることを可能にし得る。 
【００６７】
図３は、無線ドッキングシステム内の通信構造の例を示す。この構造では、無線ドッキングホスト３００は、ユニキャストリンク３１１を介してＡＶデータを受信する一次ドッキー３２０との無線通信を有し、ブロードキャストリンク３１２を介してＡＶデータを伝送する二次ドッキー３３０との無線通信を有するよう示されている。一次ドッキー及び二次ドッキーはユニキャストリンク３１０を介して直接通信するよう示されている。それぞれのデバイスが、Ｗｉ−Ｆｉプロトコルの最下層、インターネットプロトコル（ＩＰ）の次の層、ＴＣＰ／ＵＤＰプロトコルの次の層を有する通信プロトコルスタックによって概略的に図示されている。ホスト３００はＷｉ−Ｆｉ  Ｍｉｒａｃａｓｔ（登録商標）（ＷＦＭ）シンク及びＷＦＭソース能力、インタラクティブ・アクティビティ・エンジン（ＩＡＥ）・サーバ、並びにＤＨＣＰサーバ機能を含む次の層を有する。ホストが別々のＷＦＭシンク機能及びＷＦＭソース機能を備えているのは、シンクは一次ＷＦＭソースを対象とし、ソースは（１つ以上の）二次ＷＦＭシンクを対象とするからである。一実施形態では、ＷＤＨのＷＦＭソースは（１つ以上の）二次ドッキーのためのＷＦＭ周辺機器として表され得る。また、ＷＤＨのＷＦＭソースはＷＳＢビデオ周辺機器（例えば模擬ウェブカム）によって、又はウェブブラウザ若しくはメッセージング・サービス・クライアントのためのビデオ・コンポーネント・ストリームとして置き換えられ得る。
【００６８】
構造の最上層には、１つ以上のアプリケーション（一般的にはアプリと呼ばれるコンピュータプログラム）を収容可能なアプリケーション層が存在する。一次ドッキー３２０は、Ｗｉ−Ｆｉ  Ｍｉｒａｃａｓｔ（登録商標）（ＷＦＭ）ソース能力、インタラクティブ・アクティブティ・エンジン（ＩＡＥ）・クライアント、及びＤＨＣＰクライアント機能を含む次の層を有する。その上には、１つ以上のアプリケーション（一般的にはアプリと呼ばれるコンピュータプログラム）を収容可能なアプリケーション層が存在する。二次ドッキー３３０は、Ｗｉ−Ｆｉ  Ｍｉｒａｃａｓｔ（登録商標）（ＷＦＭ）シンク能力、インタラクティブ・アクティビティ・エンジン（ＩＡＥ）・クライアント、及びＤＨＣＰクライアント機能を含む次の層を有する。その上には、１つ以上のアプリケーション（一般的にはアプリと呼ばれるコンピュータプログラム）を収容可能なアプリケーション層が存在する。
【００６９】
図３は、ＩＰ上でＷｉ−Ｆｉ  Ｍｉｒａｃａｓｔ（登録商標）（ＷＦＭ）を使用してドッキングアプリケーションを実行しており、例えばＩｎｔｒａ−ＢＳＳモードのＷｉ−Ｆｉ  Ｄｉｒｅｃｔネットワーク内のグループオーナー（ＧＯ）として機能しているＷＤＨに接続された一次ドッキーを示す。一次ドッキーはＷＦＭソースとして機能し、ＷＤＨはＷＦＭシンク及びソースの両方として機能する。（１つ以上の）二次ドッキーがＷＦＭシンクとして機能できるよう、ＷＤＨはブロードキャストモードでＷＦＭパケットを転送すべきである。オプションで、バンド幅を制限するために、ＷＤＨはオーディオ／ビデオデータをスケーリングしてもよい。
【００７０】
アプリケーションレベルでインタラクティビティエンジン（ＩＡＥ）を使用して、ドッキー間のインタラクティブメッセージング（投票／クイズ／調査を含む）を加えてもよい。http://xmpp.org/extensions/xep-0174.pdfから入手可能な文献“XMPP XEP-0174: Serverless Messaging”に記載されるように、ＩＡＥはサーバを要さずにＸＭＰＰ（eXtensible Messaging and Presence Protocol）に基づき又は由来し得るが、代わりに、ＷＤＨがＤＨＣＰサーバ機能を提供し、ＤＮＳサーバ機能を提供してもよい。ＸＭＰＰ以外の他の標準化された又はプロプリエタリプロトコル、例えばＳＩＭＰＬＥ（Session initiation protocol for Instant Messaging and Presence Leveraging Extensions）、ＩＲＣ（Internet Relay Chat）、又はＷｉ−Ｆｉ  Ｄｉｒｅｃｔサービスフレームワーク等のＳｅｎｄサービスを使用してコンテンツを共有することも可能である。
【００７１】
他の実施形態では、ＷＤＨは、一次ドッキーがドッキーとＷＤＨとの間のオーディオストリームを介してＷＤＨ及び／又はそのオーディオ周辺機器に出力を供給することを可能にし得る。これはＷＳＢ  Ａｕｄｉｏ、Ｗｉ−Ｆｉ  Ｄｉｒｅｃｔ  Ｐｌａｙ  Ｓｅｒｖｉｃｅ、ＶｏＩＰ、ＸＭＰＰ、Ｓｋｙｐｅ（登録商標）、ＤＬＮＡ、又は他のオーディオストリーミング機構に基づき得る。室内の全員に聞こえるよう、ＷＤＨはこれをオーディオ周辺機器のオーディオ出力と混合し得る。
【００７２】
他の実施形態では、ＷＤＨ又は一次ドッキーは、受信後にドッキーがＷＤＨとドッキングするための１つ以上のアクションを開始する、二次ドッキーのドッキング又はアンドッキングをトリガする信号を送信し得る。かかるアクションは、次のうちの１つ以上を含み得る。
−  ドッキングを自動的に開始（ドッキーのユーザーによって許可されてもよく又は許可されなくてもよい）
−  ドッキングアプリケーションを自動的に起動（ドッキーのユーザーによって許可されてもよく又は許可されなくてもよい）
−  ドッキングのためのユーザー確認を求める
−  ユーザーにドッキングをリマインドする又はユーザーにドッキングの案内をする
信号は、次の形態を取り得る。
−  （例えばＷｉ−Ｆｉ  Ｄｉｒｅｃｔ  Ｐｒｅ−Ａｓｓｏｃｉａｔｉｏｎデバイス又はサービス発見情報の一部として、又はＰＢＣペアリング信号の一部として）Ｗｉ−Ｆｉ  Ｄｉｒｅｃｔを通じて送信されるＷｉ−Ｆｉ（ビーコン又はプローブ要求／応答）情報要素
−  ＷＤＨと同じＷｉ−Ｆｉ  Ｄｉｒｅｃｔネットワーク又は同じＷＬＡＮ  ＡＰに関連付けられた全ドッキーに送信されるブロードキャストメッセージ（例えばＭＡＣ又はＩＰ層上、例えばＬｉｎｕｘ（登録商標）の「ｗａｌｌ」のようなもの）
−  ドッキーのＴＣＰ／ＩＰポートに送信されるユニキャストメッセージ
−  ＷＤＨからドッキーに送信されるＷｉ−Ｆｉ  Ｄｉｒｅｃｔサービスフレームワーク内のセッション開始イベント（例えば、ドッキーを見つけるためのＳｅｅｋＳｅｒｖｉｃｅリクエストを実行した後、ドッキーのドッキングサービスが（おそらくはユーザー入力を要求することに基づき）承諾又は拒否し得るＳｅｓｓｉｏｎＲｅｑｕｅｓｔを実行することによる）
−  コード化された光、Ｂｌｕｅｔｏｏｔｈ（登録商標）メッセージ等のＷｉ−Ｆｉ信号以外の信号を用いたメッセージ
【００７３】
他の実施形態では、ＷＤＨによる二次ドッキーのドッキングをトリガする信号の送信は、例えば一次ドッキーがＷＤＨにコマンドを送信することによって開始される。
【００７４】
他の実施形態では、事前の識別データ、特定の認証信号、又はユーザーペアリング入力に基づいてのみドッキングが許容される方法及びシステムが提供される。例えば、ＷＤＨは範囲内の及び／又は１つ以上の選択基準を満たすドッキーのサブセットにのみ信号を送信し得る。例えば、以下のようなドッキーにのみ信号が送信され得る。
−  ＷＤＨの見通し線内のドッキー（例えばコード化された光、ビームフォーミングを使用）
−  Ｂｌｕｅｔｏｏｔｈ（登録商標）範囲内のドッキー
−  特定のＷｉ−Ｆｉ及び／又は他の無線信号／場強度を有するドッキー
−  ＷＤＨによる存在検出によって検出可能なドッキー（例えばウェブカム、ＩＲセンサを使用）
−  以前に確立された信頼関係を有するドッキー
−  特定のアプリケーション構成又は識別子を有す／示し得る、所定のアプリケーションがインストールされているドッキー
−  同じＡＰ又はＷｉ−Ｆｉ  Ｄｉｒｅｃｔネットワークに接続されたドッキー
−  信号の送信後、特定のタイムフレーム内に信号に（例えばペアリングアクションを開始することにより、又はドッキングプロトコル関連メッセージを送信することにより）応答するドッキー
−  所定のセット内のＩＰ又はＭＡＣアドレスを有するドッキー
−  所定のセットに合致するユーザー関連情報（例えばメールアドレス、名前）を提供するドッキー
【００７５】
他の実施形態では、ドッキーは自動的にこのような信号の定期的且つアクティブなサーチを行ってもよく、又は、ユーザー若しくはシステムによって開始された後にのみこのような信号のサーチを行ってもよい（例えば、ノイズ等のコンテキスト情報に基づき、又はＷＤＨ若しくはＷＤＨがある部屋に関連するＮＦＣ／Ｑｉ／Ｗｉ−Ｆｉ／Ｂｌｕｅｔｏｏｔｈ（登録商標）信号が検出されたとき）。
【００７６】
他の実施形態では、二次ドッキーは接続を確立するためにアクティブなユーザーペアリングを実行する必要がない。これは、例えばＷＰＳプッシュボタン・ペアリング・リクエストを自動的に開始及び承諾することにより、デフォルトの周知のＰＩＮを定めることにより、アウトオブバンド・プロビジョニングを実行することにより、又はＷｉ−Ｆｉ  Ｄｉｒｅｃｔ接続の代わりにＴＤＬＳ接続を使用することにより達成することができる。しかし、ドッキーは、会議をモニタリングし及びメッセージ交換に参加するようＷＤＨが供給するオーディオ及びビデオストリームにアクセスするためにパスワード入力を要求されてもよく、又は、上記選択基準のうちの１つ以上を満たす場合にのみアクセスが得られてもよい。
【００７７】
他の実施形態では、ＷＤＨ又は一次ドッキーは、他の一次又は二次ドッキー上のアプリケーション特徴に関する（１つ以上の）許可を設定することができる。特定の一実施形態では、一次ドッキーは、他のドッキーにメッセージを送信することによって許可を設定し、他のドッキーの妨害レベルを管理することができる。
【００７８】
図４は、ドッキーデバイス内の許可の設定の例を示す。図４は、左の列４０１では優先度の低いものから高いものの順に並べられ、右の列４０２では低い妨害レベル（内向的）から高い妨害レベル（外向的）の順に並べられた妨害信号を表示する、ドッキー電話の妨害レベルのダイアグラムを示す。中央の領域には、低い妨害レベル設定「低」及び高い妨害レベル設定「高」を有する妨害レベルの設定が矢印４００によって描かれている。妨害レベルが低く設定される場合、他のドッキーは、全ての電話イベントが低妨害トリガにマッピングされる低妨害モードに入り、例えば（図４に示されるように）メッセージの受信時にオーディオ通知ではなく視覚的通知のみが与えられる。妨害レベルが高い場合、スマートフォンは着信イベントに対してより外向的な方法で反応する。妨害レベルは動的に変化してもよく、例えば会議の開始時には低いレベルで始まるが、休憩中には高レベルに戻ってもよい。ドッキーがＷＤＨから離れてアンドッキングすると、ドッキーの妨害レベルは元の値にリセットされる。
【００７９】
上記設定は会議／講義中の問題、すなわち、電話の着信音が会議／講義を妨害するという問題を解決する。フレキシブルなワークプレースを有するオープンプランオフィスでも同じ状況が生じ得る。これは、ＷＤＨ及び／又は他のドッキングデバイスが他のドッキーの妨害レベルを管理することを許容することによって解決される。低く設定された場合、ドッキーは、例えばメッセージの受信時にオーディオ通知ではなく視覚的通知のみが与えられる低妨害モードに入る。したがって、このようなシステムは、ＷＤＨ又はドッキーが他のドッキー上のアプリケーション特徴（妨害レベル又はインタラクションレベル等）に関する（１つ以上の）許可を設定することを可能にする。
【００８０】
一次及び二次ドッキーを有する上記ドッキングシステムと共に、一次ドッキー／プレゼンターは、会議の何らかの側面、例えば妨害レベル又はインタラクティビティレベル等を制御する手段を与えられ得る。このようにすること、例えば妨害レベルを制御することの利点は、例えば、通常は会議又は講義を妨害し得る二次及び／又は一次ドッキー上の着信音が聞こえることを回避する手段が提供されることである。インタラクションレベルを制御することの利点は、例えば出席者が投票／クイズ／試験問題に対して回答できる時間間隔、及び二次ドッキーのユーザーがいつ互いにメッセージを送信できるかを管理する手段が一次ドッキーを使用している講師／プレゼンターに与えられることである。
【００８１】
他の実施形態では、ドッキーは、例えばＰｒｅ−Ａｓｓｏｃｉａｔｉｏｎデバイス若しくはサービス発見中、又はドッキングプロトコルメッセージを使用するドッキング中、ＷＤＨが供給する「妨害レベル」等の特定のメッセージ又は情報要素を自動的に探す。
【００８２】
他の実施形態では、ＷＤＨ又は一次ドッキーは、二次ドッキーに許容されるインタラクションレベルを特定の又は未定の時間間隔に関して設定し得る（例えば、制御のためにＷＤＨ又は一次ドッキーを使用する講師／プレゼンターの制御下で、又は所定のスケジュールを使用して）。インタラクションレベルは、例えば二次ドッキーがいつＷＤＨにメッセージ応答を供給できるか、又は二次ドッキーユーザーがいつ互いにメッセージを送信できるかを決定し得る。
【００８３】
他の実施形態では、ＷＤＨは、場合によっては二次ドッキーからのリクエストに基づき、一次ドッキーが二次ドッキーを一次ドッキーにする／加えることを可能にする。一次ドッキー又は二次ドッキーはそのためにパスワードを供給するよう求められ得る。
【００８４】
代替的な実施形態では、ＷＤＨは、例えば（１つ以上の）周辺デバイスに関連付けられたトークン（近距離無線通信ＮＦＣに基づき得る）を使用することにより、ＷＤＨに接続された１つ以上の周辺デバイスをあるドッキーから別のドッキーに受け渡すことを可能にする。
【００８５】
他の実施形態では、ＷＤＨは、一次ドッキーが全ての参加者をＷＤＨデバイスからアンドックさせることを可能にする。これは、例えば、作動時にＷＤＨが全ての二次及び／又は一次ドッキーをアンドック及び／又は切断するメッセージを全てのドッキーに送信する一次ドッキーのユーザーインターフェイス内のボタンを押した後、一次ドッキーがＷＤＨにメッセージを送信することによって達成され得る。また、これは、ＷＤＨが（１つ以上の）一次ドッキーが切断した又は圏外になったことを検出することによって、又はＷＤＨ上のボタンを押すことによってもトリガされ得る。
【００８６】
他の実施形態では、一次ドッキーは、ＷＤＨに取り付けられた周辺機器との信頼できる通信のために、ＷＤＨとのユニキャスト接続を有する。ＷＤＨは、ローカルバンド幅を節約するためにオーディオ／ビジュアルデータをスケーリングし及び／又はＷｉ−Ｆｉブロードキャスト若しくはマルチキャストを使用することにより、コンテンツのバンド幅及びエラー感度に基づく二次ドッキーのバンド幅の管理を提供する。低いバンド幅を要するリアルタイムメッセージ等のコンテンツ、又はドキュメント及びプログラム等の非リアルタイムのエラーに対して敏感なデータは、信頼性の理由からユニキャスト接続を使用して交換されてもよい。
【００８７】
他の実施形態では、ＷＤＨはドッキングされたデバイスのインターネットゲートウェイを提供し、すなわちインターネット接続を共有し、また、ファイアウォール機能を提供し得る。
【００８８】
他の実施形態では、各ドッキー上でローカルに動作するアプリケーションが（１人以上の）ユーザーへのデータ提示、インタラクティビティの管理、（１人以上の）ユーザーによる許可の設定等を取り扱う。このアプリケーションはドッキー上に予めインストールされていてもよく、又はＷＤＨ若しくは一次ドッキーによって（アプリケーションがダウンロード及びインストールされる）二次ドッキーにプッシュされてもよい。後者のオプションは、カスタマイズされたアプリケーション及び／又はアプリケーション拡張（プラグイン、スクリプト、コンテンツ等）を会議中に及び／又は会議／講義室のインフラを制御するために使用することを可能にする。一次ドッキーのアプリケーションは二次ドッキーに供給されるアプリケーションとは異なってもよく且つ／又はより多くのオプションが有効化されてもよい。
【００８９】
他の実施形態では、ＷＤＨは、ドッキーデバイスに基づきユーザー・プレゼンス・リストを自動的に作成し、且つ／又は、ドッキーから受信される個々のフィードバックに基づきユーザー、デバイス、又はプレゼンス統計を自動的に作成し得る。実際のプレゼンスリストを予期されるリスト又は招待リストと比較することにより、グローバルネットワークを使用して（例えば電子メール又はＳＭＳにより）不在者に重要な情報を送信することができる。
【００９０】
図５は、ホストデバイスにおける無線ドッキングの方法を示す。方法はホストデバイスと複数のドッキーデバイスとの間の無線通信を可能にし、ホストデバイスはオーディオ又はビデオ（ＡＶ）データをレンダリングする少なくとも１つの周辺機器に結合されている。ホストデバイスは前記無線通信を可能にするホスト通信ユニットを有し、ドッキーデバイスは前記無線通信を可能にするドッキー通信ユニットを有する。方法はステップＳＴＡＲＴ５０１において開始し、次にステップＤＯＣＫ５０２において、ドッキーデバイスに少なくとも１つの周辺機器へのアクセスを与えるよう少なくとも１つのドッキーデバイスがドッキングされる。ステップＡＳＳ−ＰＳ５０３において、ドッキングはドッキーにドッキータイプ、すなわち一次又は二次を割り当てることを含む。多数のドッキーデバイスが存在する場合、少なくとも１つの一次ドッキーデバイス及び少なくとも１つの二次ドッキーデバイスがドッキングされる。次に、ステップＰＲＯＶ１５０４において、レンダリングされるＡＶデータを決定するための少なくとも１つの周辺機器の制御権が一次ドッキーデバイスに与えられる。次に、ステップＤＡＴＡ５０５において、レンダリングされるデータが受信される。かかるデータは対応する周辺機器を介してレンダリングされる。また、かかるデータが受信されると、ステップＴＲＡＮＳＦ５０６において、かかるデータは二次ドッキーデバイスにも転送される。最後に、ステップＤＯＣＫ５０２で更なるデバイスをドッキングするために、又はステップＤＡＴＡ５０５で更なるデータを受信するために、ステップＲＥＰ５０７において方法が繰り返される。
【００９１】
図６は、ドッキーデバイスにおける無線ドッキングの方法を示す。方法はドッキーデバイスとホストデバイスとの間の無線通信を可能にし、ホストデバイス及びドッキーデバイスは図５に関して述べたように構成される。方法はステップＳＴＡＲＴ６０１において開始し、次にステップＤＯＣＫ６０２において、ドッキーデバイスに少なくとも１つの少なくとも１つの周辺機器へのアクセスを与えるようドッキーデバイスがドッキングされる。ステップＡＳＳ−ＰＳ６０３において、ドッキーはホストからドッキータイプ、すなわち一次又は二次を受け取り得る。しかし、ドッキーは割り当てを知らなくてもよく、対応するドッキータイプが利用可能な周辺機能のみを受け取ってもよい。ドッキータイプに基づき、選択ステップＰＲ／ＳＥ６０４によって表されるように、一次ドッキーはステップＥＸＥＣ６０５に進み、レンダリングされるＡＶデータを決定するための少なくとも１つの周辺機器の制御を実行する。あるいは、ステップＲＥＣＲ６０６において、二次ドッキーデバイスは少なくとも１つの周辺機器を介してレンダリングされるＡＶデータを受信してレンダリングする。最後に、ステップＥＸＥＣ６０５で制御を実行するために又はステップＲＥＣＲ６０６で更なるデータを受信するために、ＲＥＰ６０７において方法が繰り返される。
【００９２】
本発明を無線ドッキングを使用する実施形態によって主に説明してきたが、本発明は複数の無線デバイスが１つ以上の周辺機器に接続し又は１つ以上の周辺機器を共有する必要がある任意の無線システムにも適する。本発明は、プログラム可能コンポーネントを使用して、ハードウェア及び／又はソフトウェアとして実装され得ることに留意されたい。
【００９３】
本明細書では、明確さのために、本発明の実施形態を異なる機能ユニット及びプロセッサに言及して説明したことが理解されよう。しかし、本発明から逸脱することなく、異なる機能ユニット又はプロセッサ間の任意の適切な機能分散が用いられ得ることは明らかであろう。例えば、別々のユニット、プロセッサ、又はコントローラによって実行されると説明された機能が同じプロセッサ又はコントローラによって実行されてもよい。したがって、特定の機能ユニットへの言及は厳密な論理的又は物理的構造又は組織を指すものではなく、単に説明される機能を提供するのに適した手段への言及に過ぎないと考えられるべきである。本発明はハードウェア、ソフトウェア、ファームウェア、又はこれらの任意の組み合わせを含む任意の適切な形態で実装され得る。
【００９４】
本文書において、「備える（又は、含む若しくは有する等）」との用語は列挙されるもの以外の要素又はステップの存在を除外せず、要素は複数を除外せず、如何なる参照符号も特許請求の範囲を限定しない。本発明はハードウェア及びソフトウェアのいずれによっても実装され得る。複数の「手段」又は「ユニット」がハードウェア又はソフトウェアの同じアイテムによって表現され得る。プロセッサは、場合によってはハードウェア要素と協力して、１つ以上のユニットの機能を果たし得る。また、本発明は実施形態に限定されず、本発明は上記された又は互いに異なる従属請求項内に列挙された全ての新規の特徴又は特徴の組み合わせに存する。
【要約】
複数のドッキーデバイス２２０、２２１、２３０と無線通信するためのホストデバイス２００が、オーディオ又はビデオ（ＡＶ）データをレンダリングするための周辺機器２１０、２１１に結合される。ホストは、周辺機器へのアクセスを与えるようドッキーデバイスをドッキングさせるためのドッキングプロセッサを有する。ドッキーデバイスは、周辺機器へのアクセスを得るためにホストデバイスにドッキーデバイスとしてドッキングするよう構成されたドッキープロセッサを有する。ドッキングプロセッサは、少なくとも１つの一次ドッキーデバイス２３０及び少なくとも１つの二次ドッキーデバイス２２０、２２１とドッキングするよう構成されている。これにより、一次ドッキーデバイスには、レンダリングされるＡＶデータを決定するための周辺機器の制御権が与えられる。二次ドッキーデバイスには、周辺機器を介してレンダリングされるＡＶデータが転送される。例えば、一次ドッキーデバイス（プレゼンターＰ）はレンダリングされるＡＶコンテンツを制御及び決定できるようになり、一方、二次デバイス（出席者Ａ）はＡＶデータをモニタリングできるようになる。【図２】
0005903533.tif 000002
【図５】
0005903533.tif 000003
【図６】
0005903533.tif 000004
【図１】
0005903533.tif 000005
【図３】
0005903533.tif 000006
【図４】
0005903533.tif 000007